【手続補正書】
【提出日】平成23年9月20日(2011.9.20)
【手続補正１】
【補正対象書類名】特許請求の範囲
【補正対象項目名】全文
【補正方法】変更
【補正の内容】
【特許請求の範囲】
【請求項１】
光源から光を射出して画像を投影する投影手段と、
上記光源からの光の輝度状態を取得する輝度状態取得手段と、
上記輝度状態取得手段での取得結果に応じて上記光源での発光状態を制御する光源制御手段とを備え、
上記光源制御手段は、当該光源の消費電力量を増加させない一方で、上記輝度状態取得手段によって得られた上記光源の輝度を増加させるように当該光源の発光状態を制御することを特徴とする投影装置。
【請求項２】
上記投影手段はカラー画像を投影するとともに、
上記光源制御手段は、上記投影手段で投影するカラー画像の色度が減少する一方で輝度が増加するように上記光源の発光状態を制御することを特徴とする請求項１又は２記載の投影装置。
【請求項３】
上記光源制御手段は、上記投影手段によって色画像を投影する期間での輝度が減少する一方で輝度画像を投影する期間での輝度が増加するように上記光源の発光状態を制御することを特徴とする請求項２記載の投影装置。
【請求項４】
上記輝度状態取得手段は、上記光源からの射出光の輝度を測定する輝度測定手段を備えることを特徴とする請求項１乃至３いずれか記載の投影装置。
【請求項５】
上記輝度状態取得手段は、上記投影手段によって投影される画像の照度を測定する照度測定手段を備えることを特徴とする請求項１乃至３いずれか記載の投影装置。
【請求項６】
上記光源制御手段は、上記輝度状態取得手段での取得結果に対応した、上記投影手段で投影する画像の色度と上記光源の輝度の関係を記したテーブルに基づいて上記光源の発光状態を制御することを特徴とする請求項１乃至５いずれか記載の投影装置。
【請求項７】
上記光源制御手段は、画像の色度と上記光源の輝度の関係を記した上記テーブルを複数種類用意し、
上記複数種類用意されたテーブルから１つを選択する選択手段をさらに具備した
ことを特徴とする請求項６記載の投影装置。
【請求項８】
上記光源制御手段は、上記投影手段で投影する画像の色度及び輝度用の各画像タイミングに同期して上記光源での発光輝度を制御することを特徴とする請求項１乃至７いずれか記載の投影装置。
【請求項９】
上記光源制御手段は、上記投影手段で投影する画像の色度及び輝度用の各画像タイミングに同期して上記光源での発光期間を制御することを特徴とする請求項１乃至７いずれか記載の投影装置。
【請求項１０】
装置の電力を供給する電池電源をさらに具備したことを特徴とする請求項１乃至９いずれか記載の投影装置。
【請求項１１】
上記輝度状態取得手段は、上記電池電源の残量に基づいて上記光源の輝度状態を取得することを特徴とする請求項１０記載の投影装置。
【請求項１２】
光源から光を射出して画像を投影する投影部を備えた装置での投影方法であって、
上記光源からの光の輝度状態を取得する輝度状態取得工程と、
上記輝度状態取得工程での取得結果に応じて上記光源での発光状態を制御する光源制御工程とを有し、
上記光源制御工程は、当該光源の消費電力量を増加させない一方で、上記輝度状態取得工程で得られた上記光源の輝度を増加させるように当該光源の発光状態を制御することを特徴とする投影方法。
【請求項１３】
光源から光を射出して画像を投影する投影部を備えた装置が内蔵したコンピュータが実行するプログラムであって、
上記光源からの光の輝度状態を取得する輝度状態取得ステップと、
上記輝度状態取得ステップでの取得結果に応じ、当該光源の消費電力量を増加させない一方で、上記輝度状態取得工程で得られた上記光源の輝度を増加させるように当該光源の発光状態を制御する光源制御ステップと
をコンピュータに実行させることを特徴とするプログラム。
【手続補正２】
【補正対象書類名】明細書
【補正対象項目名】０００４
【補正方法】変更
【補正の内容】
【０００４】
本発明は上記のような実情に鑑みてなされたもので、その目的とするところは、投影する画像の明るさを最大限維持することが可能な投影装置、投影方法及びプログラムを提供することにある。
【手続補正３】
【補正対象書類名】明細書
【補正対象項目名】０００６
【補正方法】変更
【補正の内容】
【０００６】
請求項２記載の発明は、上記請求項１記載の発明において、上記輝度状態取得手段は、上記光源からの射出光の輝度を測定する輝度測定手段を備えることを特徴とする。
請求項３記載の発明は、上記請求項２記載の発明において、上記光源制御手段は、上記投影手段によって色画像を投影する期間での輝度が減少する一方で輝度画像を投影する期間での輝度が増加するように上記光源の発光状態を制御することを特徴とする。
【手続補正４】
【補正対象書類名】明細書
【補正対象項目名】０００７
【補正方法】変更
【補正の内容】
【０００７】
請求項４記載の発明は、上記請求項１乃至３いずれか記載の発明において、上記輝度状態取得手段は、上記投影手段によって投影される画像の照度を測定する照度測定手段を備えることを特徴とする。
【手続補正５】
【補正対象書類名】明細書
【補正対象項目名】０００８
【補正方法】変更
【補正の内容】
【０００８】
請求項５記載の発明は、上記請求項１乃至３いずれか記載の発明において、上記投影手段はカラー画像を投影するとともに、上記光源制御手段は、上記投影手段で投影するカラー画像の色度が減少する一方で輝度が増加するように上記光源の発光状態を制御することを特徴とする。
【手続補正６】
【補正対象書類名】明細書
【補正対象項目名】０００９
【補正方法】変更
【補正の内容】
【０００９】
請求項６記載の発明は、上記請求項１乃至５いずれか記載の発明において、上記光源制御手段は、上記輝度状態取得手段での取得結果に対応した、上記投影手段で投影する画像の色度と上記光源の輝度の関係を記したテーブルに基づいて上記光源の発光状態を制御することを特徴とする。
【手続補正７】
【補正対象書類名】明細書
【補正対象項目名】００１０
【補正方法】変更
【補正の内容】
【００１０】
請求項７記載の発明は、上記請求項６記載の発明において、上記光源制御手段は、画像の色度と上記光源の輝度の関係を記した上記テーブルを複数種類用意し、上記複数種類用意されたテーブルから１つを選択する選択手段をさらに具備したことを特徴とする。
【手続補正８】
【補正対象書類名】明細書
【補正対象項目名】００１１
【補正方法】変更
【補正の内容】
【００１１】
請求項８記載の発明は、上記請求項１乃至７いずれか記載の発明において、上記光源制御手段は、上記投影手段で投影する画像の色度及び輝度用の各画像タイミングに同期して上記光源での発光輝度を制御することを特徴とする。
【手続補正９】
【補正対象書類名】明細書
【補正対象項目名】００１２
【補正方法】変更
【補正の内容】
【００１２】
請求項９記載の発明は、上記請求項１乃至７いずれか記載の発明において、上記光源制御手段は、上記投影手段で投影する画像の色度及び輝度用の各画像タイミングに同期して上記光源での発光期間を制御することを特徴とする。
【手続補正１０】
【補正対象書類名】明細書
【補正対象項目名】００１３
【補正方法】変更
【補正の内容】
【００１３】
請求項１０記載の発明は、上記請求項１乃至９いずれか記載の発明において、装置の電力を供給する電池電源をさらに具備したことを特徴とする。
【手続補正１１】
【補正対象書類名】明細書
【補正対象項目名】００１４
【補正方法】変更
【補正の内容】
【００１４】
請求項１１記載の発明は、上記請求項１０記載の発明において、上記輝度状態取得手段は、上記電池電源の残量に基づいて上記光源の輝度状態を取得することを特徴とする。
【手続補正１２】
【補正対象書類名】明細書
【補正対象項目名】００１５
【補正方法】変更
【補正の内容】
【００１５】
請求項１２記載の発明は、光源から光を射出して画像を投影する投影部を備えた装置での投影方法であって、上記光源からの光の輝度状態を取得する輝度状態取得工程と、上記輝度状態取得工程での取得結果に応じて上記光源での発光状態を制御する光源制御工程とを有し、上記光源制御工程は、当該光源の消費電力量を増加させない一方で、上記輝度状態取得工程で得られた上記光源の輝度を増加させるように当該光源の発光状態を制御することを特徴とする。
【手続補正１３】
【補正対象書類名】明細書
【補正対象項目名】００１６
【補正方法】変更
【補正の内容】
【００１６】
請求項１３記載の発明は、光源から光を射出して画像を投影する投影部を備えた装置が内蔵したコンピュータが実行するプログラムであって、上記光源からの光の輝度状態を取得する輝度状態取得ステップと、上記輝度状態取得ステップでの取得結果に応じ、当該光源の消費電力量を増加させない一方で、上記輝度状態取得工程で得られた上記光源の輝度を増加させるように当該光源の発光状態を制御する光源制御ステップとをコンピュータに実行させることを特徴とする。
【手続補正１４】
【補正対象書類名】明細書
【補正対象項目名】００１７
【補正方法】変更
【補正の内容】
【００１７】
本発明によれば、投影する画像の明るさを最大限維持することが可能となる。